(57)【要約】【課題】書き込み可能であるが不正コピーを防止可能とする光記録媒体及び前記光記録媒体に記録可能な光記録装置を提供する。【解決手段】書込み可能な記録層１０２と案内溝とを備える光記録媒体１００において、光記録媒体をトラッキングした際のプッシュプル信号の大きさＰＰＡが、所定の第１範囲にあるときは当該トラッキングの対象が再生専用の光記録媒体であると認識し、前記プッシュプル信号の大きさが前記第１範囲より大きい所定の第２範囲にあるときは当該トラッキングの対象が書き込み可能な光記録媒体であると認識する光記録装置により、トラッキングされた際のプッシュプル信号の大きさが前記第１範囲にあることを特徴とする。【選択図】図１
2008234725.tif 000002
【特許請求の範囲】
【請求項１】
書込み可能な記録層と案内溝とを備える光記録媒体において、
光記録媒体をトラッキングした際のプッシュプル信号の大きさＰＰＡが、所定の第１範囲にあるときは当該トラッキングの対象が再生専用の光記録媒体であると認識し、前記プッシュプル信号の大きさが前記第１範囲より大きい所定の第２範囲にあるときは当該トラッキングの対象が書き込み可能な光記録媒体であると認識する光記録装置により、トラッキングされた際のプッシュプル信号の大きさが前記第１範囲にあることを特徴とする光記録媒体。
【請求項２】
前記第1範囲は、０．０５＜ＰＰＡ＜０．１５であることを特徴とする請求項１記載の光記録媒体。
【請求項３】
トラックピッチが０．７３〜０．７５μｍの案内溝が設けられ、レーザ光が入射する基板上に少なくとも、有機色素を含む記録層と反射層とを備えてなり、前記案内溝の溝深さが５００〜９００Å、溝幅が０．１３〜０．２５μｍであることを特徴とする請求項１または２記載の光記録媒体。
【請求項４】
前記案内溝の溝深さＷｔ(Å)と前記記録層の膜厚Ｄｔ(Å)との積(Ｗｔ＊Ｄｔ)が２４００００≦Ｗｔ＊Ｄｔ≦６０００００の範囲にあることを特徴とする請求項３記載の光記録媒体。
【請求項５】
案内溝が設けられ、レーザ光が入射する第１基板と、トラックピッチが０．７３〜０．７５μｍの案内溝が設けられている第２基板とを有し、前記第１基板と第２基板との間に該第１基板側から順に第１記録層を含む第１情報層と、中間層と、少なくとも保護層、有機色素からなる第２記録層、反射層を有する第２情報層とが積層されてなる光記録媒体において、
前記第２基板上の案内溝の溝深さが１００〜１７０Å、溝幅が０．１０〜０．２５μｍであることを特徴とする請求項１または２記載の光記録媒体。
【請求項６】
前記第２記録層の膜厚Ｄｔ(Å)が３５０≦Ｄｔ≦７００の範囲にあることを特徴とする請求項５記載の光記録媒体。
【発明の詳細な説明】
【技術分野】
【０００１】
本発明は、ＤＶＤ±Ｒ、ＤＶＤ±ＲＷなどの書き込み可能であるが不正コピーを防止することが可能な光記録媒体及び該光記録媒体に記録可能な光記録装置に関するものである。
【背景技術】
【０００２】
近年、音楽データ、画像データ等、多くのコンテンツは、一般的にその作成者あるいは販売者に頒布権等が保有されており、これらのコンテンツの配布に際しては、一定の利用制限、すなわち正規なユーザに対してのみ、コンテンツの利用を許諾し、許可のない複製等が行われないようにする構成をとるのが一般的となっている。
【０００３】
ところで、高密度情報の記録を可能とする情報記録システムとしては、例えばＤＶＤ(Digital Versatile Disc)システムなどがあり、このようなＤＶＤシステムに使用される情報記録媒体（例えば、特許文献１参照。）に対して前記の映画、音楽データなどのコンテンツが格納されている。
【０００４】
このＤＶＤシステムでは、コンテンツをコピー、再生処理において劣化のないデジタル情報として記録することが可能であるため、不正コピー氾濫という問題が多く発生し、コンテンツ著作権者、頒布権者の利益の阻害という問題が大きくなってきている。このような現状から、ＤＶＤシステムにおいて、いかに不正コピーを防止し、著作権者、頒布権者の利益の保護を図るかが重要な課題となっている。
【０００５】
著作権保護のための方式として、例えば、ＣＳＳ（Content Scramble System）が知られている。これは、一般ユーザによる民生機器を使用した不正コピーや、コンピュータを使用した不正コピーなどを防止するものである。ＣＳＳで暗号化されたＤＶＤビデオコンテンツは、再生専用型ＤＶＤディスクにのみ正規に存在するようになっている。このため、光記録再生装置が、記録型ＤＶＤディスクと再生専用型ＤＶＤディスクとを識別し、記録型ＤＶＤディスクであると判別した場合には、不正コピーされたものであるとして、その記録型ＤＶＤディスクに記録されたＣＳＳコンテンツの再生を禁止することができる。
【０００６】
ここで、記録型ＤＶＤディスクと再生専用型ＤＶＤディスクとの識別を、プッシュプル信号の大小によって行う光記録再生装置が知られている。すなわち、検出したプッシュプル信号が所定値よりも小さい場合には、再生専用型ＤＶＤディスクであると判別し、検出したプッシュプル信号が所定値よりも大きい場合には、再生専用型ＤＶＤディスクであると判別する。これは、再生専用型ＤＶＤディスクは、基板上に案内溝が存在しないため、案内溝を有する記録型ＤＶＤディスクに比べてプッシュプル信号が小さいからである。これにより、この種の光記録再生装置は、不正コピーされた記録型ＤＶＤディスクの再生を禁止するようになっている。
【０００７】
【特許文献１】特開２００４−５８６９号公報
【発明の開示】
【発明が解決しようとする課題】
【０００８】
しかしながら、このような光記録再生装置であっても、上記のような暗号化などの不正コピーを防ぐ処理を行っていない限り、記録型ＤＶＤディスクにコンテンツを記録（不正コピー）することはできてしまう。
【０００９】
本発明は、以上の従来技術における問題に鑑みてなされたものであり、書き込み可能であるが不正コピーを防止可能とする光記録媒体及び前記光記録媒体に記録可能な光記録装置を提供することを目的とする。
【課題を解決するための手段】
【００１０】
前記課題を解決するために提供する本発明は、以下の通りである。
（１）  書込み可能な記録層と案内溝とを備える光記録媒体において、光記録媒体をトラッキングした際のプッシュプル信号の大きさＰＰＡが、所定の第１範囲にあるときは当該トラッキングの対象が再生専用の光記録媒体であると認識し、前記プッシュプル信号の大きさが前記第１範囲より大きい所定の第２範囲にあるときは当該トラッキングの対象が書き込み可能な光記録媒体であると認識する光記録装置により、トラッキングされた際のプッシュプル信号の大きさが前記第１範囲にあることを特徴とする光記録媒体。
（２）  前記第1範囲は、０．０５＜ＰＰＡ＜０．１５であることを特徴とする前記（１）記載の光記録媒体。
（３）  トラックピッチが０．７３〜０．７５μｍの案内溝が設けられ、レーザ光が入射する基板上に少なくとも、有機色素を含む記録層と反射層とを備えてなり、前記案内溝の溝深さが５００〜９００Å、溝幅が０．１３〜０．２５μｍであることを特徴とする前記（１）または（２）記載の光記録媒体。
（４）  前記案内溝の溝深さＷｔ(Å)と前記記録層の膜厚Ｄｔ(Å)との積(Ｗｔ＊Ｄｔ)が２４００００≦Ｗｔ＊Ｄｔ≦６０００００の範囲にあることを特徴とする前記（３）記載の光記録媒体。
（５）  案内溝が設けられ、レーザ光が入射する第１基板と、トラックピッチが０．７３〜０．７５μｍの案内溝が設けられている第２基板とを有し、前記第１基板と第２基板との間に該第１基板側から順に第１記録層を含む第１情報層と、中間層と、少なくとも保護層、有機色素からなる第２記録層、反射層を有する第２情報層とが積層されてなる光記録媒体において、前記第２基板上の案内溝の溝深さが１００〜１７０Å、溝幅が０．１０〜０．２５μｍであることを特徴とする前記（１）または（２）記載の光記録媒体。
（６）  前記第２記録層の膜厚Ｄｔ(Å)が３５０≦Ｄｔ≦７００の範囲にあることを特徴とする前記（５）記載の光記録媒体。
【発明の効果】
【００１１】
請求項１，２記載の光記録媒体によれば、プッシュプル信号が通常の光記録媒体よりも小さいため、通常の光記録装置では再生専用と認識され、書き込むことはできない。
請求項３記載の光記録媒体によれば、トラックピッチが０．７３〜０．７５μｍの案内溝が設けられている基板上に少なくとも、有機色素を含む記録層と反射層とを備えてなり、前記案内溝の溝深さが５００〜９００Å、溝幅が０．１３〜０．２５μｍであることを特徴としているので、光記録装置に挿入されたときにプッシュプル信号が小さくなり、一般的な光記録装置には再生専用の媒体として認識されるが、本発明の光記録装置によれば書き込むことが可能となる。なお、光記録媒体において基板上の案内溝を一定周波数で蛇行状にウォブリングさせることによりトラック情報を記録していて、該案内溝のウォブル振幅Ｗｏとプッシュプル振幅ＰＰとの割合(Ｗｏ/ＰＰ)が０．１≦Ｗｏ/ＰＰ≦０．４の範囲にあるようにすると、光記録装置はウォブルの同期をあわせることができ、かつデータエラーも抑えることができるので好ましい。
請求項４記載の光記録媒体によれば、前記案内溝の溝深さＷｔ(Å)と前記記録層の膜厚Ｄｔ(Å)との積(Ｗｔ＊Ｄｔ)が２４００００≦Ｗｔ＊Ｄｔ≦６０００００の範囲にあることを特徴としているので光記録装置に挿入されたときにプッシュプル信号が小さく、一般的な光記録装置には再生専用の媒体として認識されるが、本発明の光記録装置によれば書き込むことが可能となる。
請求項５記載の光記録媒体によれば、案内溝が設けられ、レーザ光が入射するている第１基板と、トラックピッチが０．７３〜０．７５μｍの案内溝が設けられている第２基板とを有し、前記第１基板と第２基板との間に該第１基板側から順に第１記録層を含む第１情報層と、中間層と、少なくとも保護層、有機色素からなる第２記録層、反射層を有する第２情報層とが積層されてなる光記録媒体において、前記第２基板上の案内溝の溝深さが１００〜１７０Å、溝幅が０．１０〜０．２５μｍであることを特徴としているので、光記録装置に挿入されたときに第２情報層のプッシュプル信号が小さく、一般的な光記録装置には再生専用の媒体として認識されるが、本発明の光記録装置によれば書き込むことが可能となる。なお、当該光記録媒体において、第二基板上の案内溝を一定周波数で蛇行状にウォブリングさせることによりトラック情報を記録していて、該案内溝のウォブル振幅Ｗｏとプッシュプル振幅ＰＰとの割合(Ｗｏ/ＰＰ)が０．１≦Ｗｏ/ＰＰ≦０．４の範囲にあるようにすると、光記録装置は第二情報層のウォブルの同期をあわせることができ、かつデータエラーも抑えることができるので好ましい。
請求項６記載の光記録媒体によれば、前記第２記録層の膜厚Ｄｔ(Å)が３５０≦Ｄｔ≦７００の範囲にあることを特徴としているので、良好な記録信号が得ることが可能となる。
【発明を実施するための最良の形態】
【００１２】
ＤＶＤシステムを用いたディスクには再生専用であるＤＶＤ−ＲＯＭと、書き込み可能であるＤＶＤ±Ｒ、ＤＶＤ±ＲＷ、ＤＶＤ-ＲＡＭ等がある。書き込み可能であるＤＶＤ±Ｒ、ＤＶＤ±ＲＷ、ＤＶＤ-ＲＡＭの基板には予め案内溝が刻まれトラックか形成されている。これらは、トラックのうち凹部（グルーブ）もしくは凸部（ランド）の平坦部にレーザ光が集光されることによって、情報信号の記録もしくは再生が行われ、通常光記録装置はトラッキング誤差信号（プッシュプル信号）を用いてトラッキング制御しながら記録もしくは再生を行う。一方、ＤＶＤ−ＲＯＭには予め案内溝ではなく記録情報としてピットが列状に形成されている。
【００１３】
光記録装置はＤＰＤ（Differential phase detection）信号を用いてトラッキング制御しながら再生を行う。ＤＶＤ−ＲＯＭの場合、案内溝はないので、ＤＶＤ±Ｒ、ＤＶＤ±ＲＷ、ＤＶＤ-ＲＡＭに比べてトラッキング誤差信号は極めて小さくなっており、光記録装置はトラッキング誤差信号の大きさを読み取ることで、再生専用であるＤＶＤ−ＲＯＭディスクか、書き込み可能であるＤＶＤ±Ｒ、ＤＶＤ±ＲＷ、ＤＶＤ-ＲＡＭかを区別することができる。また光記録装置は、書き込み可能なディスクが書き込み後であっても、トラッキング誤差信号の大きさを読み取ることで再生専用ディスクとの区別を行うことができる。
【００１４】
本発明に係る光記録媒体は書き込み可能であるが、プッシュプル信号を小さくすることで、一般的な光記録装置で再生した際に再生専用であるＤＶＤ−ＲＯＭディスクと認識させることができ、書き込むことができないようにしたものである。
【００１５】
以下に、本発明に係る光記録媒体の構成について説明する。
本発明に係る光記録媒体は、書込み可能な記録層と案内溝とを備える光記録媒体であって、光記録媒体をトラッキングした際のプッシュプル信号の大きさが、所定の第１範囲にあるときは当該トラッキングの対象が再生専用の光記録媒体であると認識し、前記プッシュプル信号の大きさが前記第１範囲より大きい所定の第２範囲にあるときは当該トラッキングの対象が書き込み可能な光記録媒体であると認識する光記録装置（通常の光記録装置）により、トラッキングされた際のプッシュプル信号の大きさが前記第１範囲にあることを特徴とするものである。また、前記トラッキングされた際のプッシュプル信号の大きさが前記第１範囲にあるように、少なくとも前記案内溝の溝深さ及び／又は溝幅が調整されてなることが好ましい。
【００１６】
本発明に係る光記録媒体についてさらに具体的に説明する。
図１は、本発明に係る光記録媒体の第１の実施の形態における構成を示す断面図である。
光記録媒体１００は、案内溝（不図示）を有する基板１０１上に、有機色素からなる記録層１０２と、反射層１０３と、保護層１０４とがこの順番で設けられてなるものである。
【００１７】
ここで、基板１０１は、使用レーザに対して透明な材料からなり、例えばポリエステル樹脂、アクリル樹脂、ポリアミド樹脂、ポリカーボネート樹脂、ポリオレフィン樹脂、フェノール樹脂、エポキシ樹脂、ポリイミド樹脂などのプラスチック、或いは、ガラス、セラミックなどを用いることができる。
【００１８】
基板１０１に設けられる案内溝は、トラックピッチが０．７３〜０.７５μｍ、溝深さが４００〜９００Å（４０〜９０ｎｍ）、溝幅が０．１８〜０．３μｍとする。溝深さが９００Åを越えてしまうとプッシュプル信号が大きくなりすぎてしまい、通常の光記録装置に書き込み可能な媒体であると認識されてしまうため不適であり、５００Å未満だとプッシュプル信号を得ることが困難になる。溝幅は０．１３μｍより狭くなると充分なプッシュプル信号を得ることが困難となる恐れがあり、０．２５μｍより広くなると、記録ピットが広がりやすくなり、記録後のプッシュプル信号が大きくなりすぎる、等の問題点があるので好ましくない。また、案内溝は通常図２のように断面形状が台形をしているが、本発明で言う溝幅は底溝の幅Ｗｂｏｔを指すものとする。
【００１９】
なお、本発明でいうプッシュプル信号ＰＰＡとはプッシュプル振幅（差信号の振幅）を和信号で割ったものをさし、ＤＶＤ-Ｒの規格書にはＰｕｓｈ-Ｐｕｌｌ  Ａｍｐｌｉｔｕｄｅ、ＤＶＤ+Ｒの規格書にはＰｕｓｈ-Ｐｕｌｌ  ｓｉｇｎａｌとして記載されている信号である。
【００２０】
またプッシュプル信号としては光記録装置にもよるがプッシュプル信号ＰＰＡ＞０．１５であると書き込み可能な記録媒体と認識される恐れがあり、ＰＰＡ＜０．０５であるとトラッキングが困難になる。
【００２１】
また、基板１０１における案内溝を一定周波数で蛇行状にウォブリングさせることによりトラック情報を記録していて、該案内溝のウォブル振幅Ｗｏとプッシュプル振幅ＰＰとの割合(Ｗｏ／ＰＰ)が０．１≦Ｗｏ／ＰＰ≦０．４の範囲にあることが好ましい。すなわち、適当なフィルターを通した後のウォブル振幅（Ｗｏ）に対する、これも適当なフィルターを通した後のプッシュプル振幅（ＰＰ）の割合（Ｗｏ／ＰＰ）が、０．１≦Ｗｏ／ＰＰ≦０．４の範囲にあれば光記録装置はウォブルの同期をあわせることができるが、さらに好ましくは０．１≦Ｗｏ／ＰＰ≦０．３の範囲である。Ｗｏ／ＰＰの値が０．１以下であると同期をとるには不充分であり、０．４を越えてしまうとデータエラーが増えてしまう。なお、この値は光記録媒体１００がＤＶＤ＋Ｒ／ＲＷディスクである場合に好適な条件であり、ＤＶＤ−Ｒ／ＲＷディスクやその他の光ディスクでは好適なウォブル条件は異なる。
【００２２】
また、基板１０１上の案内溝の溝深さＷｔ(Å)と記録層１０２（有機色素）の膜厚Ｄｔ(Å)の積である(Ｗｔ＊Ｄｔ)が２４００００≦Ｗｔ＊Ｄｔ≦６０００００の範囲（案内溝の溝深さＷｔ(ｎｍ)と記録層の膜厚Ｄｔ(ｎｍ)の場合には、２４００≦Ｗｔ＊Ｄｔ≦６０００の範囲）にあることが好ましい。(Ｗｔ＊Ｄｔ)が２４００００以下だとプッシュプル信号を得ることが困難になり６０００００以上だとプッシュプル信号が大きくなりすぎてしまう。これは案内溝の溝深さが５００Åから９００Åである基板に記録層（有機色素層）を形成した場合、記録層が厚いほどプッシュプル信号が大きくなるためである。
【００２３】
記録層１０２は、レーザ光の照射により何らかの光学的変化を生じさせ、その変化により情報を記録するものであり、その材料としては有機色素を主成分とするものを用いる。ここで、主成分とは、記録再生に必要十分な量の有機色素を含有することを意味するが、通常は、必要に応じて適宜添加する少量の添加剤を除き、有機色素のみを用いる。記録層１０２の膜厚は１０ｎｍ(１００Å)〜１０μｍ、好ましくは２０〜２００ｎｍ（２００〜２０００Å）が適当である。
【００２４】
有機色素の例としては、シアニン系色素、フタロシアニン系色素、ピリリウム系・チオピリリウム系色素、アズレニウム系色素、スクアリリウム系色素、アゾ系色素、ホルマザンキレート系色素、Ｎｉ、Ｃｒなどの金属錯塩系色素、ナフトキノン系・アントラキノン系色素、インドフェノール系色素、インドアニリン系色素、トリフェニルメタン系色素、トリアリルメタン系色素、アミニウム系・ジインモニウム系色素及びニトロソ化合物を挙げることができる。中でも、膜の光吸収スペクトルの最大吸収波長が５８０〜６２０ｎｍにありＤＶＤ用レーザ光波長（約６５０ｎｍ）において所望の光学特性を得易い色素化合物としては、溶剤塗布による成膜性、光学特性の調整のし易さから、テトラアザポルフィラジン色素、シアニン色素、アゾ色素、スクアリリウム色素が挙げられる。 更に、必要に応じて他の第３成分、例えばバインダー、安定剤等を含有させることもできる。
【００２５】
反射層１０３は、レーザ光波長に対する反射率が高い物質からなる薄膜が好ましく、例えばＭｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｃａ、Ｉｎ、Ｓｉ、Ｇｅ、Ｔｅ、Ｐｂ、Ｐｏ、Ｓｎ、Ｓｉ、ＳｉＣなどの金属及び半金属を挙げることができる。中でも高反射率が得られるＡｕ、Ａｇ、Ａｌが好ましい。これらは単独で用いても、二種以上の組合せで或いは合金として用いてもよい。
【００２６】
保護層１０４は、（１）記録層１０２の傷、ホコリ、汚れ等からの保護、（２）記録層１０２の保存安定性の向上、（３）反射率の向上等を目的として使用される。これらの目的に対しては、ポリメチルアクリレート樹脂、ポリカーボネート樹脂、エポキシ樹脂、ポリスチレン樹脂、ポリエステル樹脂、セルロース樹脂、脂肪族炭化水素樹脂、天然ゴム、スチレンブタジエン樹脂、クロロプレンゴム、ワックス、アルキッド樹脂、乾性油、ロジン等の熱軟化性、熱溶融性樹脂などの有機材料を用いることができる。最も好ましいのは生産性に優れた紫外線硬化樹脂である。なお、保護層１０４は省略してもよい。
【００２７】
本発明の光記録媒体１００を製造するに当っては、例えばつぎの（イ）〜（ハ）の製造工程で製造すればよい。
（イ）記録層形成工程：表面に案内溝が形成された基板１０１上に、直接又は他の層を介して前述した有機色素化合物からなる記録層を塗布成膜手段により設ける工程。
即ち、前記色素化合物を溶媒に溶解し、液状の塗布液として基板１０１上にコートすることにより、記録層１０２を形成する。この塗布液を調整するための溶媒としては、公知の有機溶媒（例えばアルコール、セロソルブ、ハロゲン化炭素、ケトン、エーテル等）を使用することができる。また、コート方法としては、記録層の濃度、粘度、溶剤の乾燥温度を調節することにより膜厚を制御できるため、スピンコート法が望ましい。また、基板１０１の表面の平面性の改善、接着力の向上、記録層の変質防止等の目的で、記録層が設けられる側の基体表面に下塗層を設けてもよい。この場合の下塗層は、例えば前述した下塗層用物質を適当な溶剤に溶解又は分散して塗布液を調整したのち、この塗布液をスピンコート、ディップコート、エクストルージョンコートなどの塗布法により基板表面に塗布することにより形成することができる。
【００２８】
（ロ）反射層形成工程：記録層１０２上に直接又は他の層を介して反射層１０３を真空成膜手段により設ける工程。
前述した光反射性物質を、例えば蒸着、スパッタリング又はイオンプレーティングすることにより反射層１０３を形成する。
【００２９】
（ハ）保護層形成工程：反射層１０３上に保護層１０４を設ける工程。
前述した無機物質や種々の樹脂からなる保護層用材料を、真空成膜又は塗布成膜することにより形成する。 特にＵＶ硬化性樹脂を用いることが好ましく、該樹脂をスピンコートした後、紫外線照射 により硬化して形成する。
【００３０】
つぎに、本発明に係る光記録媒体の第２の実施の形態について説明する。
図３に、本発明の光記録媒体２００として、記録光の入射側の第１基板２０１／第１記録層２０２／第１反射層２０３／有機保護層２０４／有機透明中間層２０５／無機保護層２０６／第２記録層２０７／第２反射層２０８／第２基板（保護基板）２０９からなる構造例を示す。
【００３１】
ここで、第２基板２０９の案内溝は、トラックピッチが０．７３〜０.７５μｍ、溝深さが１００〜１７０Å（１０〜１７ｎｍ）、溝幅が０．１３〜０．２５μｍとする。溝深さが１７０Åを越えてしまうとプッシュプル信号が大きくなりすぎることにより通常の光記録装置に書き込み可能な媒体であると認識されてしまい、１００Å未満だとプッシュプル信号を得ることが困難になる。また溝幅は０．１０μｍより狭くなると充分なプッシュプル信号を得ることが困難となる恐れがあり、０．２５μｍより広くなると、記録ピットが広がりやすくなり、記録後のプッシュプル信号が大きくなりすぎる、等の問題点があるので好ましくない。
【００３２】
また、第２基板２０９上の案内溝を一定周波数で蛇行状にウォブリングさせることによりトラック情報を記録していて、該案内溝のウォブル振幅Ｗｏとプッシュプル振幅ＰＰとの割合(Ｗｏ／ＰＰ)が０．１≦Ｗｏ／ＰＰ≦０．４の範囲にあることが好ましい。すなわち、適当なフィルターを通した後のウォブル振幅（Ｗｏ）に対する、これも適当なフィルターを通した後のプッシュプル振幅（ＰＰ）の割合（Ｗｏ／ＰＰ）が、０．１≦Ｗｏ／ＰＰ≦０．４の範囲にあれば光記録装置はウォブルの同期をあわせることができるが、さらに好ましくは０．１≦Ｗｏ／ＰＰ≦０．３の範囲である。Ｗｏ／ＰＰの値が０．１以下であると同期をとるには不充分であり、０．４を越えてしまうとデータエラーが増えてしまう。
【００３３】
また、第２記録層２０７の有機色素の膜厚Ｄｔ(Å)が３５０≦Ｄｔ≦７００の範囲（６０≦Ｄｔ(ｎｍ)≦１３０）にあることが好ましい。有機色素の膜厚Ｄｔ(Å)が３５０未満だと十分な大きさの記録マークが形成できず記録信号が悪化していまい、７００より大であると記録マークが広がりすぎて記録信号が悪化する恐れがある。
【００３４】
本発明の光記録媒体２００を製造するに当っては、インバーテッドスタック工法を用いた２層構成型（情報層が二つ）の光記録媒体の製造方法として例えばつぎの（ニ）〜（ヌ）の製造工程で製造すればよい。
（ニ）第１記録層形成工程：表面に案内溝が設けられた第１基板２０１上に、直接又は他の層を介して有機色素化合物からなる第１記録層２０２を塗布成膜手段により設ける工程。
有機色素の具体例は第１の実施の形態で述べたものと同様である。
（ホ）第１反射層形成工程：第１記録層２０２上に直接又は他の層を介して第１反射層２０３を真空成膜手段により設ける工程。
第１反射層２０３を形成後、光透過率は４０%以上とするのが好ましい。反射層材料の具体例は第１の実施の形態で述べたものと同様である。
（ヘ）有機保護層形成工程：第１反射層２０３上に有機保護層２０４を設ける工程。
有機保護層２０４の材料としては第１の実施の形態で述べた保護層と同様である。なお、有機保護層２０４は省略してもよい。
以上の（ニ）から（ヘ）により第１情報層が作製される。
（ト）第２反射層形成工程：表面に案内溝が設けられた第２基板２０９上に直接又は他の層を介して第２反射層２０８を真空成膜手段により設ける工程。
（チ）第２記録層形成工程：第２反射層２０８上に直接又は他の層を介して有機色素化合物からなる第２記録層２０７を塗布成膜手段により設ける工程。
有機色素の具体例は第１の実施の形態で述べたものと同様である。
（リ）無機保護層形成工程：第２記録層２０７上に直接又は他の層を介して無機保護層２０６を真空成膜手段（例えば蒸着、スパッタリング又はイオンプレーティング）により設ける工程。
無機保護層材料の例としては、ＳｉＯ、ＳｉＯ２、ＭｇＦ２、ＳｎＯ２、ＺｎＳ、ＺｎＳ−ＳｉＯ２、ＺｎＳ−ＳｉＣ等の光透過性が高い無機物質を挙げることができる。無機保護層２０６の層厚は５０Å〜１８００Åの範囲とする。前述したように、特に好ましい材料は、結晶性が低く屈折率が高いＺｎＳ−ＳｉＯ２、ＺｎＳ−ＳｉＣである。
（ト）から（リ）により第２情報層が作製される。
（ヌ）貼り合せ工程：第１記録層２０２及び第２記録層２０７が内側になるように第１基板２０１と第２基板とを向き合わせて有機透明中間層２０５を介して貼り合わせる工程。
有機透明中間層２０５は接着層兼用とすることが好ましく、その材料としては既存のアクリル系、エポキシ系、ウレタン系の紫外線硬化型又は熱硬化型接着剤等が使用できる。更に、透明シートにより貼り合わせる方法を用いても良い。具体的には、成膜済みの第１基板２０１又は第２基板２０９の最上層表面に接着剤を滴下し、次いで、他方の基板の最上層を上からかぶせると共に接着剤を均一に広げたのち、紫外線照射などにより硬化させる。紫外線照射の場合は光透過性が高い第１基板２０１側から行うことが好ましい。上記製造工程において、第２反射層２０８の材料として銀合金を用い、その上に第２記録層２０７の材料を塗布すれば、塗布欠陥の少ない記録層を成膜することができる。
【００３５】
以上の構成により光記録媒体１００，２００のプッシュプル信号を小さくすることが可能となり、一般的な光記録装置では書き込むことができずに、本発明の光記録装置により書き込むことが可能となる。
【００３６】
次に、光記録装置の構成について説明する。
光記録媒体は、図４に示すような光記録装置によって情報の記録再生が行われる。
図４は、光記録媒体の光記録装置について、その要部構成の一例を示す機能ブロック図である。図において、１００(２００)は光記録媒体、２はスピンドルモータ、３は光ピックアップ、４はモータドライバ、５はリードアンプ、６はサーボ手段、７はＤＶＤデコーダ、８はＡＤＩＰデコーダ、９はレーザコントローラ、１０はＤＶＤエンコーダ、１１はＤＶＤ−ＲＯＭエンコーダ、１２はバッファＲＡＭ、１３はバッファマネージャ、１４はＤＶＤ−ＲＯＭデコーダ、１５はＡＴＡＰＩ／ＳＣＳＩインターフェース、１６はＤ／Ａコンバータ、１７はＲＯＭ、１８はＣＰＵ、１９はＲＡＭ、２０はパルスジェネレータを示し、ＬＢはレーザ光、Ａｕｄｉｏはオーディオ出力信号を示す。
【００３７】
この図４において、矢印はデータが主に流れる方向を示しており、また、図を簡略化するために、図４の各ブロックを制御するＣＰＵ１８には、太線のみを付けて各ブロックとの接続を省略している。ＲＯＭ１７には、ＣＰＵ１８にて解読可能なコードで記述された制御プログラムが格納されている。なお、光記録媒体の記録装置の電源がオン状態になると、前記プログラムは不図示のメインメモリにロードされ、前記ＣＰＵ１８はそのプログラムに従って上記各部の動作を制御するとともに、制御に必要なデータ等を一時的にＲＡＭ１９に保存する。光記録媒体の記録装置の構成と動作は、次のとおりである。光記録媒体１００(２００)は、スピンドルモータ２によって回転駆動される。このスピンドルモータ２は、モータドライバ４とサーボ手段５により、線速度または角速度が一定になるように制御される。この線速度又は角速度は、階段的に変更することが可能である。
【００３８】
光ピックアップ３は、図示されない半導体レーザ、光学系、フォーカスアクチュエータ、トラックアクチュエータ、受光素子およびポジションセンサを内蔵しており、レーザ光ＬＢを光記録媒体１００(２００)に照射する。また、この光ピックアップ３は、シークモータによってスレッジ方向への移動が可能である。これらのフォーカスアクチュエータ、トラックアクチュエータ、シークモータは、受光素子とポジションセンサから得られる信号に基いて、モータドライバ４とサーボ手段５により、レーザ光ＬＢのスポットが光記録媒体１００（２００）上の目的の場所に位置するように制御される。
【００３９】
そして、リード時には、光ピックアップ３によって得られた再生信号が、リードアンプ５で増幅されて２値化される。リードアンプ内では主に最長信号振幅を規格化する過程と最記録マーク信号を増幅する波形等価機能を経て２値化される。入力された２値化データは、このＤＶＤデコーダ７において、８／１６復調される。なお、記録データは、８ビットずつまとめられて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００４０】
復調されたデータは、デインターリーブとエラー訂正の処理が行われる。その後、このデータは、ＤＶＤ−ＲＯＭデコーダ１４へ入力され、データの信頼性を高めるために、さらに、エラー訂正の処理が行われる。このように２回のエラー訂正の処理が行われたデータは、バッファマネージャ１３によって一旦バッファＲＡＭ１２に蓄えられ、セクタデータとして揃った状態で、ＡＴＡＰＩ／ＳＣＳＩインターフェース１５を介して、図示しないホストコンピュータへ一気に転送される。なお、音楽データの場合には、ＤＶＤデコーダ７から出力されたデータが、Ｄ／Ａコンバータ１６へ入力され、アナログのオーディオ出力信号Ａｕｄｉｏとして取り出される。
【００４１】
また、ライト時には、ＡＴＡＰＩ／ＳＣＳＩインターフェース１５を通して、ホストコンピュータから送られてきたデータは、バッファマネージャ１３によって一旦バッファＲＡＭ１２に蓄えられる。その後ライト動作が開始されるが、この場合には、その前にレーザスポットを書き込み開始地点に位置させる必要がある。この地点は、ＤＶＤ＋ＲＷ／＋Ｒでは、予め光記録媒体１００(２００)上にトラックの蛇行により刻まれているウォブル信号によって求められる。
【００４２】
なお、上記地点はＤＶＤ−ＲＷ／−Ｒではウォブル信号の代わりにランドプリピット、ＤＶＤ−ＲＡＭ／ＲＡＭ・ＷＯではプリピットによって求められる。
【００４３】
ＤＶＤ＋ＲＷ／＋Ｒ記録媒体におけるウォブル信号には、ＡＤＩＰ（ADress In Pre-groove）と呼ばれるアドレス情報が含まれており、この情報が、ＡＤＩＰデコーダ８によって取り出される。また、このＡＤＩＰデコーダ８によって生成される同期信号は、ＤＶＤエンコーダ１０へ入力され、光記録媒体１００(２００)上の正確な位置へのデータの書き込みを可能にしている。バッファＲＡＭ１２のデータは、ＤＶＤ−ＲＯＭエンコーダ１１やＤＶＤエンコーダ１０において、エラー訂正コードの付加や、インターリーブが行われ記録用の信号として８／１６変換される。
【００４４】
記録用に変調された信号はパルスジェネレータ２０において記録媒体に適した記録光波形に変換され、レーザコントローラ９、光ピックアップ３を介して、光記録媒体１００(２００)に記録される。光ピックアップの効率の補正には記録光の回折光を直接に受光素子により測定し、そのパワー変動によりレーザコントローラ９の記録パワーを変更することが可能である。光記録媒体に対する記録パワーの補正方法として記録後発光時の反射光の変動から、光記録媒体に対する記録パワーの効率を測定しレーザコントローラ９の記録パワーを補正することが可能である。アドレスの制御方法はランドプリピットやプリピットからアドレス情報を得る構成であっても良い。
【００４５】
ここで、本実施形態の光記録装置は、光記録媒体１００，２００をトラッキングした際のプッシュプル信号の大きさが、所定の第１範囲（例えば０．０５＜ＰＰＡ＜０．１５）にあるときは、当該トラッキングの対象が再生専用の光記録媒体であると認識し、プッシュプル信号の大きさが第１範囲よりも大きい所定の第２範囲（例えばＰＰＡ≧０．１６）にあるときは、当該トラッキングの対象が書き込み可能な光記録媒体であると認識するようになっている。この光記録装置に、光記録媒体１００，２００がセットされ、第1範囲にあるプッシュプル信号を取得すると、これを再生専用型と認識するため、記録を行うことがない。具体的には、ユーザーが本発明の光記録媒体１００，２００を光記録装置にセットし、録画ボタンを押しても、光記録装置は、セットされた光記録媒体は再生専用型である旨のエラー表示をし、録画を禁止するようになっている。
【００４６】
もっとも、コンテンツの著作権者から複製を許可された者が使用する光記録装置では、前述した本発明の光記録媒体１００，２００がセットされ、第１範囲にあるプッシュプル信号を取得しても、これを再生専用型光記録媒体と認識せず、これに書き込むことが可能であるようにすればよい。その際にはコピー防止用の暗号キー及び／又はコンテンツを含むデータを書き込むことが可能である。なお、この場合、通常の記録型光記録媒体よりもプッシュプル信号が小さいため、それに応じた制御を行い、適切にトラッキングできるようにすることが好ましい。
【実施例】
【００４７】
以下、本発明を実施例により具体的に説明するが本発明はこれらに限定されるものではない。
＜実施例１＞
溝深さ５００Å（５０ｎｍ）、溝幅０.１３μｍ、トラックピッチ０．７４μｍの案内溝を有する厚さ０．６ｍｍ、直径１２０ｍｍ、ウォブル振り量２０ｎｍの射出成形ポリカーボネート基板上に、スクアリリウム色素を２，２，３，３−テトラフルオロプロパノールに溶解させ、その溶液をスピンナー塗布して膜厚が６２０Å（６２ｎｍ）となるように有機色素層（記録層）を形成し、次いでスパッタ法により金（Ａｕ）１２００Å（１２０ｎｍ）の反射層を設け、その上にアクリル系フォトポリマーにて５μｍの保護層を設けた。さらに厚さ０．６ｍｍの射出成形ポリカーボネート基板をアクリルフォトポリマーにて接着し光記録媒体とした。
この記録媒体に、発振波長６５８ｎｍ、ビーム径１．０μｍの半導体レーザ光を用い、プッシュプル信号ＰＰＡを測定した。その結果を表１に示す。
【００４８】
＜実施例２＞
実施例１において、基板の案内溝の溝深さを９００Å（９０ｎｍ）とし、それ以外は実施例１と全く同様に光記録媒体を作製し、同条件でプッシュプル信号ＰＰＡを測定した。その結果を表１に示す。
【００４９】
＜実施例３＞
実施例１において、基板の案内溝の溝幅を０．２５μｍとし、それ以外は実施例１と全く同様に光記録媒体を作製し、同条件でプッシュプル信号ＰＰＡを測定した。その結果を表１に示す。
【００５０】
＜実施例４＞
実施例１において、基板の案内溝の溝深さを９００Å（９０ｎｍ）、溝幅を０．２５μｍとし、それ以外は実施例１と全く同様に光記録媒体を作製し、同条件でプッシュプル信号ＰＰＡを測定した。その結果を表１に示す。
【００５１】
＜比較例１＞
実施例１において、基板の案内溝の溝深さを４５０Å（４５ｎｍ）、溝幅を０．１１μmとし、それ以外は実施例１と全く同様に光記録媒体を作製し、同条件でプッシュプル信号ＰＰＡを測定した。その結果を表１に示す。
【００５２】
＜比較例２＞
実施例１において、基板の案内溝の溝深さを９５０Å（９５ｎｍ）、溝幅を０．２７μmとし、それ以外は実施例１と全く同様に光記録媒体を作製し、同条件でプッシュプル信号ＰＰＡを測定した。その結果を表１に示す。
【００５３】
【表１】
2008234725.tif 000003
【００５４】
＜実施例５＞
溝深さ７００Å（７０ｎｍ）、溝幅０．２０μｍ、トラックピッチ０．７４μｍの案内溝を有する厚さ０．６ｍｍ、直径１２０ｍｍ、ウォブル振り量２０ｎｍの射出成形ポリカーボネート基板上に、スクアリリウム色素を２，２，３，３−テトラフルオロプロパノールに溶解させ、その溶液をスピンナー塗布して膜厚がそれぞれ３８０Å（（３８ｎｍ）実施例５−１）、８００Å（（８０ｎｍ）実施例５−２）となるように記録層（有機色素層）を形成し、次いでスパッタ法により金（Ａｕ）１２００Å（１２０ｎｍ）の反射層を設け、その上にアクリル系フォトポリマーにて５μｍの保護層を設けた。さらに厚さ０．６ｍｍの射出成形ポリカーボネート基板をアクリルフォトポリマーにて接着し光記録媒体とした。
この記録媒体を実施例１と同条件でプッシュプル信号ＰＰＡを測定した。その結果を表２に示す。
【００５５】
＜比較例３＞
実施例５において、記録層（有機色素層）の膜厚をそれぞれ３３０Å（（３３ｎｍ）比較例３−１）、９００Å（（９０ｎｍ）比較例３−２）とし、それ以外は実施例５と全く同様に光記録媒体を作製し、同条件でプッシュプル信号ＰＰＡを測定した。その結果を表２に示す。
【００５６】
【表２】
2008234725.tif 000004
【００５７】
＜実施例６＞
溝深さ７００Å（７０ｎｍ）、溝幅０．２４μｍ、トラックピッチ０．７４μｍ、ウォブル振り量２０ｎｍの案内溝を有する、厚さ０．５８ｍｍ、直径１２０ｍｍの射出成形ポリカーボネート基板を第１基板とし、該第１基板上にスクアリリウム色素を２，２，３，３−テトラフルオロプロパノールに溶解させ、その溶液をスピンナー塗布して膜厚が６２０Å（６２ｎｍ）となるように第１記録層（有機色素層）を形成し、次いでスパッタ法により銀を９０Å（９ｎｍ）の半透過反射層（第１反射層）を設けた。
一方、溝深さ１００Å（１０ｎｍ）、溝幅０.１３um、トラックピッチ０.７４um、ウォブル振り量２０ｎｍの案内溝を有する厚さ０．６０ｍｍ、直径１２０nmの射出成型ポリカーボネート基板を第２基板とし、該第２基板上にスパッタ法により銀を約１２０ｎｍの厚さに設け第２反射層を形成した。更に、第２反射層上に、スクアリリウム色素を５００Å（５０ｎｍ）の膜厚となるようにスピンコート成膜して第２記録層を形成し、その上にスパッタ法によりＺｎＳ−ＳｉＯ２を約１５ｎｍの厚さに設けてバリア層（無機保護層）を形成した。
次いで、上記成膜済みの第１基板と第２基板を、紫外線硬化型接着剤（日本化薬社製 ＫＡＲＡＹＡＤ ＤＶＤ００３）で記録層同士が内側になるように貼り合わせ、光記録媒体を得た。
この記録媒体の第２情報層（光の入射する面から奥側の記録層（第２記録層））に発振波長６５８ｎｍ、ビーム径１．０μｍの半導体レーザ光を用いて、プッシュプル信号ＰＰＡを測定した。その結果を表３に示す。
【００５８】
＜実施例７＞
実施例６において、第２基板の案内溝の溝深さを１７０Å（１７ｎｍ）とし、それ以外は実施例６と全く同様に光記録媒体を作製し、同条件でプッシュプル信号ＰＰＡを測定した。その結果を表３に示す。
【００５９】
＜実施例８＞
実施例６において、第２基板の案内溝の溝幅を０.２５μｍとし、それ以外は実施例６と全く同様に光記録媒体を作製し、同条件でプッシュプル信号ＰＰＡを測定した。その結果を表３に示す。
【００６０】
＜実施例９＞
実施例６において、第２基板の案内溝の溝深さを１７０Å（１７ｎｍ）、溝幅を０.２５μｍとし、それ以外は実施例６と全く同様に光記録媒体を作製し、同条件でプッシュプル信号ＰＰＡを測定した。その結果を表３に示す。
【００６１】
＜実施例１０＞
実施例６において、第２基板の案内溝の溝深さを１４０Å（１４ｎｍ）、溝幅を０.２０μｍ、第２基板上の第２記録層の膜厚をそれぞれ３６０Å（（３６ｎｍ）実施例１０−１）、６５０Å（（６５ｎｍ）実施例１０−２）とし、それ以外は実施例６と全く同様に光記録媒体を作製し、同条件でプッシュプル信号ＰＰＡを測定した。その結果を表３に示す。
【００６２】
＜比較例４＞
実施例６において、第２基板の案内溝の溝深さを９０Å（９ｎｍ）、溝幅を０.１１μｍとし、それ以外は実施例６と全く同様に光記録媒体を作製し、同条件でプッシュプル信号ＰＰＡを測定した。その結果を表３に示す。
【００６３】
＜比較例５＞
実施例６において、第２基板の案内溝の溝深さを１８０Å（１８ｎｍ）、溝幅を０.２７μｍとし、それ以外は全く同様に光記録媒体を作製し、同条件でプッシュプル信号ＰＰＡを測定した。その結果を表３に示す。
【００６４】
【表３】
2008234725.tif 000005
【００６５】
なお、これまで本発明を図面に示した実施形態をもって説明してきたが、本発明は図面に示した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【図面の簡単な説明】
【００６６】
【図１】本発明に係る光記録媒体の第１の実施の形態における構成を示す断面図である。
【図２】案内溝の断面形状を示す図である。
【図３】本発明に係る光記録媒体の第２の実施の形態における構成を示す断面図である。
【図４】本発明に係る光記録装置の構成を示すブロック図である。
【符号の説明】
【００６７】
２    スピンドルモータ
３    光ピックアップ
４    モータドライバ
５    リードアンプ
６    サーボ手段
７    ＤＶＤデコーダ
８    ＡＤＩＰデコーダ
９    レーザコントローラ
１０    ＤＶＤエンコーダ
１１    ＤＶＤ−ＲＯＭエンコーダ
１２    バッファＲＡＭ
１３    バッファマネジャー
１４    ＤＶＤ−ＲＯＭデコーダ
１５    ＡＴＡＰＩ／ＳＣＳＩインターフェース
１６    Ｄ／Ａコンバータ
１７    ＲＯＭ
１８    ＣＰＵ
１９    ＲＡＭ
２０    パルスジェネレータ
１００，２００    光記録媒体
１０１，２０１，２０９    基板
１０２，２０２，２０７    記録層
１０３，２０３，２０８    反射層
１０４，２０４，２０６    保護層
２０６    有機透明中間層
【図１】
2008234725.tif 000006
【図２】
2008234725.tif 000007
【図３】
2008234725.tif 000008
【図４】
2008234725.tif 000009